(57)【特許請求の範囲】
【請求項１】
建物の外壁面に形成された窓取付け用開口部の下部のコーナー部分の水密性を確保するための窓下部における水切り構造であって、
前記窓取付け用開口部の下部の前記コーナー部分に、該コーナー部分へ密着させる本体部分と、該本体部分から前記建物の前記外壁面より突出する水切り部と、前記外壁面に密着させる前記水切り部から突出した突出部とから成るコーナー水切り部材が、締結部材により、前記窓取付け用開口部の内周側面へ向かう方向と前記建物内部へ向かう方向との間の斜め下の方向に貫通し、締結部材頭部の収納部と上側の挿入口より縮径した前記締結部材頭部の係止部を有する締結部材挿入用の孔が設けられた前記本体部分で取付け固定されていることを特徴とする窓下部における水切り構造。
【請求項２】
前記コーナー水切り部材が、前記窓取付け用開口部の下部の左右のコーナー部分に取付け固定され、これらのコーナー水切り部材の間に、前記締結部材を覆って水切り部材が設けられていることを特徴とする請求項１に記載の窓下部における水切り構造。
【請求項３】
前記コーナー水切り部材は、前記窓取付け用開口部の下部における内周側面及び前記外壁面との間にシール材を介して取付け固定されていることを特徴とする請求項１又は２に記載の窓下部における水切り構造。
【請求項４】
建物の外壁面に形成された窓取付け用開口部の下部のコーナー部分の水密性を確保するために該コーナー部分に取付け固定されるコーナー水切り部材であって、
前記コーナー部分へ密着させる本体部分と、該本体部分から前記建物の外壁面より突出する水切り部と、前記外壁面に密着させる前記水切り部から突出した突出部とから成り、
前記本体部分に、前記窓取付け用開口部の内周側面へ向かう方向と前記建物内部へ向かう方向との間の斜め下の方向に貫通し、締結部材頭部の収納部と上側の挿入口より縮径した前記締結部材頭部の係止部を有する締結部材挿入用の孔が設けられていることを特徴とするコーナー水切り部材。
【請求項５】
前記突出部の外側端部には、前記建物の前記外壁面と略直角となる水返し部が立設されていることを特徴とする請求項４に記載のコーナー水切り部材。
【請求項６】
前記本体部分に、水切り部材嵌め込み用の段差部が設けられていることを特徴とする請求項４又は５に記載のコーナー水切り部材。
【発明の詳細な説明】
【技術分野】
【０００１】
本発明は、建物における窓取付け用開口部の下部のコーナー部分の水密性を確保するための窓下部における水切り構造及び同水切り構造に用いられるコーナー水切り部材に関するものである。
【背景技術】
【０００２】
従来から、建物における窓取付け用開口部の下部のコーナー部分の水密性を確保して、雨だれにより窓下の外壁面が汚れることを防止する窓下部における水切り構造が知られている（例えば特許文献１〜３等を参照）。
【０００３】
こうした従来の窓下部における水切り構造では、コーナー水切り部材を、窓取付け用開口部の下部におけるコーナー部分へ密着させることにより水密性を確保していた。
【特許文献１】実公平０１−００７８２４号公報
【特許文献２】実公平０２−０４９３５８号公報
【特許文献３】特開２００１−２８８９６５号公報
【発明の開示】
【発明が解決しようとする課題】
【０００４】
しかしながら、こうした従来の窓下部における水切り構造では、コーナー水切り部材と窓取付け用開口部の下部におけるコーナー部分との密着力が十分でないため、長期にわたって水密性を確保することができなかった。
【０００５】
そこで、本発明は、コーナー水切り部材と窓取付け用開口部の下部におけるコーナー部分との密着力が十分であり、長期にわたって水密性を確保して、雨だれにより窓下の外壁面が汚れることを防止できる窓下部における水切り構造及び同水切り構造に用いられるコーナー水切り部材を提供することを目的としている。
【課題を解決するための手段】
【０００６】
前記目的を達成するために、本発明の窓下部における水切り構造は、建物における窓取付け用開口部の下部のコーナー部分の水密性を確保するための窓下部における水切り構造であって、前記窓取付け用開口部の下部の前記コーナー部分に、該コーナー部分へ密着させる本体部分と、該本体部分から前記建物の外壁面より突出する水切り部と、前記外壁面に密着させる前記水切り部から突出した突出部とから成るコーナー水切り部材が、前記窓取付け用開口部の内周側面へ向かう方向と前記建物内部へ向かう方向との間の斜め下の方向に向かう締結部材により前記本体部分で取付け固定されていることを特徴とする。
【０００７】
ここで、前記コーナー水切り部材が、前記窓取付け用開口部の下部の左右のコーナー部分に取付け固定され、これらのコーナー水切り部材の間に、前記締結部材を覆って水切り部材が設けられているとよい。
【０００８】
また、前記コーナー水切り部材は、前記窓取付け用開口部の下部における内周側面及び前記外壁面との間にシール材を介して取付け固定されているとよい。
【０００９】
本発明のコーナー水切り部材は、建物における窓取付け用開口部の下部のコーナー部分の水密性を確保するために該コーナー部分に取付け固定されるコーナー水切り部材であって、前記コーナー部分へ密着させる本体部分と、該本体部分から前記建物の外壁面より突出する水切り部と、前記外壁面に密着させる前記水切り部から突出した突出部とから成り、前記本体部分に、前記窓取付け用開口部の内周側面へ向かう方向と前記建物内部へ向かう方向との間の斜め下の方向に貫通した締結部材挿入用の孔が設けられていることを特徴とする。
【００１０】
ここで、前記締結部材挿入用の孔に、上側の挿入口より縮径した締結部材頭部の係止部が設けられているとよい。
【００１１】
また、前記突出部の外側端部には、前記建物の前記外壁面と略直角となる水返し部が立設されているとよい。
【００１２】
さらに、前記本体部分に、水切り部材嵌め込み用の段差部が設けられているとよい。
【発明の効果】
【００１３】
このような本発明の窓下部における水切り構造は、窓取付け用開口部の下部のコーナー部分に、コーナー部分へ密着させる本体部分と、本体部分から建物の外壁面より突出する水切り部と、外壁面に密着させる水切り部から突出した突出部とから成るコーナー水切り部材が、窓取付け用開口部の内周側面へ向かう方向と建物内部へ向かう方向との間の斜め下の方向に向かう締結部材により本体部分で取付け固定された構成とされている。
【００１４】
このような構成なので、従来の窓下部における水切り構造とは異なり、突出部が建物の外壁面へ密着してコーナー水切り部材を係止する状態で、前記した方向に締結部材が設けられているため、コーナー水切り部材と窓取付け用開口部の下部におけるコーナー部分との密着力が十分であり、長期にわたって水密性を確保して、雨だれにより窓下の外壁面が汚れることを防止できる。
【００１５】
ここで、コーナー水切り部材が、窓取付け用開口部の下部の左右のコーナー部分に取付け固定され、これらのコーナー水切り部材の間に、締結部材を覆って水切り部材が設けられている場合は、締結部材の設けられた部分が覆われるため、意匠的外観をよくすることができる。
【００１６】
また、コーナー水切り部材が、窓取付け用開口部の下部における内周側面及び外壁面との間にシール材を介して取付け固定されている場合は、コーナー水切り部材とコーナー部分及び外壁面との間の水密性をより高めることができる。
【００１７】
このような本発明のコーナー水切り部材は、コーナー部分へ密着させる本体部分と、本体部分から建物の外壁面より突出する水切り部と、外壁面に密着させる水切り部から突出した突出部とから成り、本体部分に、窓取付け用開口部の内周側面へ向かう方向と建物内部へ向かう方向との間の斜め下の方向に貫通した締結部材挿入用の孔が設けられた構成とされている。
【００１８】
このような構成なので、締結部材挿入用の孔に案内されて、締結部材を前記した方向へ容易に挿入でき、本発明の窓下部における水切り構造を容易に実施することができる。
【００１９】
ここで、締結部材挿入用の孔に、上側の挿入口より縮径した締結部材頭部の係止部が設けられている場合は、締結部材の頭部が締結部材挿入用の孔内に隠れるため、納まりがよく、そのうえ、係止部の部分で締結部材の頭部が押し付けられるため、締結部材による略一定の締結力を得ることができ、これにより、コーナー水切り部材と窓取付け用開口部の下部におけるコーナー部分との間で略一定の密着力を得ることができる。
【００２０】
また、突出部の外側端部に、建物の外壁面と略直角となる水返し部が立設されている場合は、突出部から建物の外壁面への雨だれを極力防止することができる。
【００２１】
さらに、本体部分に、水切り部材嵌め込み用の段差部が設けられている場合は、コーナー水切り部材と水切り部材との間の段差をなくして意匠的外観をよくすることができる。
【発明を実施するための最良の形態】
【００２２】
以下、本発明の最良の実施の形態について図面に基づいて説明する。
【００２３】
図１は、本実施の形態の窓下部における水切り構造の概略構成を示している。
【００２４】
本実施の形態の窓下部における水切り構造は、建物１における窓取付け用開口部２の下部のコーナー部分３の水密性を確保するための窓下部における水切り構造である。
【００２５】
そして、窓取付け用開口部２の下部のコーナー部分３に、コーナー水切り部材４が、窓取付け用開口部２の内周側面２１へ向かう方向と建物１内部へ向かう方向との間の斜め下の方向（俯角が４５度、水平面内で外壁面１１から３５度）に向かう締結部材としてのネジ５，５により取付け固定された構成とされている。
【００２６】
ここで、コーナー水切り部材４は、図２（ａ）〜（ｄ）に示したように、締結部材挿入用の孔としてのネジ孔８，８が建物１の内外方向に間隔を置いて設けられた本体部分４１と、水切り部４２と、突出部４３とから構成されている。
【００２７】
この本体部分４１は、略矩形状の平板であり、表面に段差部４５を有し、後端部（建物１の内部側）に後水返し部４６が立設されており、その側面及び底面がコーナー部分３へ密着される。
【００２８】
また、この本体部分４１のネジ孔８，８は、窓取付け用開口部２の内周側面２１へ向かう方向と建物１内部へ向かう方向との間の斜め下の方向（俯角が４５度、水平面内で外壁面１１から３５度）に貫通して設けられている。
【００２９】
さらに、ネジ孔８には、上側の挿入口より縮径したネジ５の頭部の係止部８ａが設けられている。
【００３０】
また、水切り部４２は、本体部分４１から突出して形成されており、本体部分４１と略同一の段差部４５を有する上面部分と、この上面部分の端部から略鉛直方向へ垂下する本体部分４１と略同一の段差部４５を有する垂直面部分とから成り、建物１の外壁面１１より突出している。
【００３１】
さらに、突出部４３は、水切り部４２の横側に窓取付け用開口部２から外れる方向へ突出して略四角柱に形成されており、その内側面が窓取付け用開口部２に隣接する外壁面１１に密着される。
【００３２】
また、突出部４３の外側端部に、外壁面１１と略直角となる水返し部４４が立設されている。
【００３３】
図示は省略したが、右側のコーナー部分３も、この左側のコーナー部分３と左右対称な構成とされており、コーナー水切り部材４は、左右対称な形状を呈している。
【００３４】
また、左右のコーナー水切り部材４，４の本体部分４１，４１の段差部４５，４５間に、後水返し部４６，４６と水返し部６１とが一連となるように、段差部４５，４５を覆って略断面Ｌ字形状で後端部（建物１の内部側）に水返し部６１が立設された水切り部材６が嵌め込まれて設けられている。
【００３５】
次に、本実施の形態の窓下部における水切り構造の施工方法について説明する。
【００３６】
まず、防水シート９を、図３に示したように、窓取付け用開口部２の下面に貼設する。
【００３７】
続いて、水切り部材受け具１０を、図４に示したように、防水シート９の上から窓取付け用開口部２の下面にネジ孔１０ａ，・・・へネジ１２，・・・を螺合して取付ける。
【００３８】
ここで、受け部１０ｂは、建物１の外側方向に係合溝を有するものである。
【００３９】
続いて、コーナー水切り部材４の内周側面２１側及び外壁面１１側並びに建物１側の側面に、図５に示したように、ブチルテープ等のシール材７を貼設しておく。
【００４０】
そして、このシール材７を貼設したコーナー水切り部材４を、図６に示したように、ネジ５，５をネジ孔８，８へそれぞれ螺合することにより、左右のコーナー部分３に取付け固定する。
【００４１】
続いて、こうして取付け固定した左右のコーナー水切り部材４の段差部４５の表面に、図７に示したように、ブチルテープ等のシール材１３を貼設する。
【００４２】
そして、水切り部材６を、図８に示したように、左右のコーナー水切り部材４，４の段差部４５，４５間に、段差部４５を覆って、この水切り部材６の裏面の図示を省略した係合片を水切り部材受け具１０の受け部１０ｂの係合溝へ嵌め込み、その水返し部６１を建物１へネジ１４，・・・を螺合して設ける。
【００４３】
こうして、図１に示した本実施の形態の窓下部における水切り構造が完成する。
【００４４】
次に、本実施の形態の窓下部における水切り構造及びコーナー水切り部材の作用効果について説明する。
【００４５】
このような本実施の形態の窓下部における水切り構造は、窓取付け用開口部２の下部のコーナー部分３に、コーナー部分３へ密着させる本体部分４１と、本体部分４１から建物１の外壁面１１より突出する水切り部４２と、外壁面１１に密着させる水切り部４２から突出した突出部４３とから成るコーナー水切り部材４が、窓取付け用開口部２の内周側面２１へ向かう方向と建物１内部へ向かう方向との間の斜め下の方向（俯角が４５度、水平面内で外壁面１１から３５度）に向かう締結部材としてのネジ５，５により本体部分４１で取付け固定された構成とされている。
【００４６】
このような構成なので、従来の窓下部における水切り構造とは異なり、突出部４３が建物１の外壁面１１へ密着してコーナー水切り部材４を係止する状態で、前記した方向にネジ５，５が設けられているため、コーナー水切り部材４と窓取付け用開口部２の下部におけるコーナー部分３との密着力が十分であり、長期にわたって水密性を確保して、雨だれにより窓下の外壁面が汚れることを防止できる。
【００４７】
ここで、コーナー水切り部材４が、窓取付け用開口部２の下部の左右のコーナー部分３，３にそれぞれ取付け固定され、これらのコーナー水切り部材４，４の間に、ネジ５，・・・を覆って水切り部材６が設けられているので、ネジ５，・・・の設けられた部分が覆われるため、意匠的外観をよくすることができる。
【００４８】
また、コーナー水切り部材４が、窓取付け用開口部２の下部における内周側面２１及び外壁面１１との間にシール材７を介して取付け固定されているので、コーナー水切り部材４とコーナー部分３及び外壁面１１との間の水密性をより高めることができる。
【００４９】
このような本実施の形態のコーナー水切り部材は、コーナー部分３へ密着させる本体部分４１と、本体部分４１から建物１の外壁面１１より突出する水切り部４２と、外壁面１１に密着させる水切り部４２から突出した突出部４３とから成り、本体部分４１に、窓取付け用開口部２の内周側面２１へ向かう方向と建物１内部へ向かう方向との間の斜め下の方向（俯角が４５度、水平面内で外壁面１１から３５度）に貫通した締結部材挿入用の孔としてのネジ孔８，８が設けられた構成とされている。
【００５０】
このような構成なので、ネジ孔８，８に案内されて、締結部材としてのネジ５，５を前記した方向へ容易に螺合することができ、本実施の形態の窓下部における水切り構造を容易に実施することができる。
【００５１】
ここで、ネジ孔８に、上側の挿入口より縮径したネジ５の頭部の係止部８ａが設けられているので、ネジ５の頭部がネジ孔８内に隠れるため、納まりがよい。
【００５２】
そのうえ、係止部８ａの部分でネジ５の頭部が押し付けられるため、ネジ５による略一定の締結力を得ることができ、これにより、コーナー水切り部材４と窓取付け用開口部２の下部におけるコーナー部分３との間で略一定の密着力を得ることができる。
【００５３】
また、突出部４３の外側端部に、建物１の外壁面１１と略直角となる水返し部４４が立設されているので、突出部４３から建物１の外壁面１１への雨だれを極力防止することができる。
【００５４】
さらに、本体部分４１に、水切り部材嵌め込み用の段差部４５が設けられているので、コーナー水切り部材４，４と水切り部材６との間の段差をなくして意匠的外観をよくすることができる。
【００５５】
以上、図面を参照して、本発明の最良の実施の形態を詳述してきたが、具体的な構成は、この実施の形態に限らず、本発明の要旨を逸脱しない程度の設計的変更は、本発明に含まれる。
【００５６】
例えば、前記実施の形態では、締結部材としてのネジ５の方向を俯角が４５度、水平面内で外壁面１１から３５度としたが、これに限定されない。
【００５７】
すなわち、ネジ５の方向は、コーナー部分３とコーナー水切り部材４との間が水密性を確保できるように、窓取付け用開口部２の内周側面２１へ向かう方向と建物１内部へ向かう方向との間の斜め下の方向であればよい。
【００５８】
また、締結部材としてのネジ５を２本設けたが、これに限定されず、１本又は３本以上設けてもよい。
【図面の簡単な説明】
【００５９】
【図１】本発明の最良の実施の形態の窓下部における水切り構造の概略構成を示す説明図である。
【図２】本発明の最良の実施の形態のコーナー水切り部材の概略構成を示す、（ａ）は平面図であり、（ｂ）は底面図であり、（ｃ）は左側面図であり、（ｄ）は正面図である。
【図３】本実施の形態の窓下部における水切り構造の施工段階を示す説明図である。
【図４】本実施の形態の窓下部における水切り構造の施工段階を示す説明図である。
【図５】本実施の形態の窓下部における水切り構造に用いられるコーナー水切り部材を示す斜視図である。
【図６】本実施の形態の窓下部における水切り構造の施工段階を示す説明図である。
【図７】本実施の形態の窓下部における水切り構造の施工段階を示す説明図である。
【図８】本実施の形態の窓下部における水切り構造の施工段階を示す説明図である。
【符号の説明】
【００６０】
１      建物
１１    外壁面
２      窓取付け用開口部
２１    内周側面
３      コーナー部分
４      コーナー水切り部材
４１    本体部分
４２    水切り部
４３    突出部
４４    水返し部
４５    水切り部材嵌め込み用の段差部
５      ネジ（締結部材）
６      水切り部材
７      シール材
８      ネジ孔（締結部材挿入用の孔）
８ａ    係止部
【図１】
0005285950.tif 000002
【図２】
0005285950.tif 000003
【図３】
0005285950.tif 000004
【図４】
0005285950.tif 000005
【図５】
0005285950.tif 000006
【図６】
0005285950.tif 000007
【図７】
0005285950.tif 000008
【図８】
0005285950.tif 000009